(57)【要約】【課題】携帯電話等の通話装置に着信があったときに、その着信情報を通話装置以外の着信装置で表示又は音声出力して着信したことを知らせる。【解決手段】ナンバーディスプレイ機能を備えた携帯電話機１０に赤外線ＬＥＤ駆動回路１６を備え、着信があったときに着信情報を作成して発信する。これを例えばテレビ２０のリモコン受信部で受信して、その情報を自身の表示画面２５上に表示し及び／又はスピーカで音声出力して報知する。この場合、発信元情報が携帯電話機１０に予め登録されているときは、着信情報に発信元情報を加えて表示する。【選択図】        図４
2004159099.tif 000002
【特許請求の範囲】
【請求項１】
着信時に着信情報を形成する手段、
形成した着信情報を他の着信表示装置に送信する手段、
を備えたことを特徴とする通話装置。
【請求項２】
請求項１に記載された通話装置において、
前記着信情報を形成する手段は、少なくとも着信があったことを表示するメッセージを含むことを特徴とする通話装置。
【請求項３】
請求項２に記載された通話装置において、
着信時に取得した発信側電話番号から、自身に登録した発信先情報を読み出す手段、該発信先情報を着信情報に付加する手段を備えたことを特徴とする通話装置。
【請求項４】
通話装置からの着信情報を受信する手段、
受信した着信情報を表示する手段、
を備えたことを特徴とする着信表示装置。
【請求項５】
請求項４に記載された着信表示装置において、
前記受信した着信情報を表示する手段は、画像表示手段及び／又は音声表示手段を備えていることを特徴とする着信表示装置。
【請求項６】
請求項５に記載された着信表示装置において、
赤外線受信機能及び画像及び／又は音声出力装置を備えていることを特徴とする着信表示装置。
【請求項７】
請求項１乃至３のいずれかに記載された通話装置と、
請求項４乃至６のいずれかに記載された着信表示装置と
からなることを特徴とする着信表示システム。
【発明の詳細な説明】
【０００１】
【発明の属する技術分野】
本発明は、携帯電話機やいわゆるナンバーディスプレイ機能付き電話機等、発信元情報を受信可能な通話装置、着信表示装置及び前記通話装置及び着信表示装置からなる着信表示システムに関し、着信があったときに、該着信情報を前記通話装置以外の装置でも表示又は出力できるようにしたものである。
【０００２】
【従来の技術】
携帯電話機等の電話機の普及に伴い、電話機の通信機能と家庭内など室内の電気機器の機能とを連携させる試み、例えば、家庭内など室内における電気機器の制御を外部から電話機を用いて行おうとするいわゆるホームオートメーションシステムが提案されている（特許文献１参照）。
このホームオートメーションシステムは、近赤外線リモコンと携帯電話機とを接続して、室外の他の携帯電話機からの命令を当該携帯電話機で受信すると、近赤外線リモコンは各電気機器に対するリモコン制御信号を生成し、近赤外線を発出して、指定された電気機器の運転制御を行うようにしている。
【０００３】
また、他の例では、テレビ受像器に電話機用のモデムを内蔵させ、テレビの視聴中に電話がかかってきた場合に該モデムで電話の着信を検知し、それによってテレビの音量を自動的に下げ、かつ、視聴中の番組を見逃さないように録画するなどの操作を自動的にスタートさせるようにしたものも提案されている（特許文献２）。
【０００４】
以上のように、電話機とテレビ等の家庭電器製品との機能の連携化の試みが成されているが、電話の呼出或いは着信表示を電話機以外の装置で行うことは行なわれていない。例えばテレビの視聴中に電話の着信があると、その音量等により電話の着信に気付かず、大事な電話にも拘わらず見逃すことがあるが、その対策は十分になされていない。
また、現在は、電話機に着信があったときに誰からの着信であるか着信側で判別できるようになっているが、この情報は電話機のディスプレイでしか確認できず不便である。
【０００５】
【特許文献１】
特開２００１−２７５１７２号公報
【特許文献２】
特開２００１−３３３３３４号公報
【０００６】
【発明が解決しようとする課題】
本発明は以上のような問題を解決すべくなされたものであって、その目的は、電話の着信があったときに、例えばテレビ等の表示画面に着信表示を行い、テレビ等の音量が大きくとも着信を見逃すことがないようにすると共に、同時に着信情報（通話相手の情報）を表示することで、事前にだれからの電話であるのか確認できるようにすることである。
本発明の第２の目的は以上の動作をテレビ等の既存の装置を活用することで簡単に行えるようにすることである。
【０００７】
【課題を解決するための手段】
請求項１の発明は、着信時に着信情報を形成する手段、形成した着信情報を他の着信表示装置に送信する手段を備えたことを特徴とする通話装置である。
請求項２の発明は、請求項１に記載された通話装置において、前記着信情報を形成する手段は、少なくとも着信があったことを表示するメッセージを含むことを特徴とする通話装置である。
請求項３の発明は、請求項２に記載された通話装置において、着信時に取得した発信側電話番号から、自身に登録した発信先情報を読み出す手段、該発信先情報を着信情報に付加する手段を備えたことを特徴とする通話装置である。
請求項４の発明は、通話装置からの着信情報を受信する手段、受信した着信情報を表示する手段を備えたことを特徴とする着信表示装置である。
請求項５の発明は、請求項４に記載された着信表示装置において、前記受信した着信情報を表示する手段は、画像表示手段及び／又は音声表示手段を備えていることを特徴とする着信表示装置である。
請求項６の発明は、請求項５に記載された着信表示装置において、赤外線受信機能及び画像及び／又は音声出力装置を備えていることを特徴とする着信表示装置である。
請求項７の発明は、請求項１乃至３のいずれかに記載された通話装置と、請求項４乃至６のいずれかに記載された着信表示装置とからなることを特徴とする着信表示システムである。
【０００８】
【発明の実施の形態】
本発明の実施形態を図面を参考にして説明する。
図１は、本発明の１実施形態に係る着信表示システムを概略的に示した図である。本着信表示システムは通話装置の１例として携帯電話機１０及び表示装置として例えばテレビ２０から構成されている。
電話機は、通常の通話機能のための回路を備え、そのＣＰＵ１２を用いて着信情報を作成すると共に、赤外線リモコンフォーマット回路１４、及び電流制限抵抗１６ａ、赤外線ＬＥＤ１６ｂ、スイッチング素子１６ｃ等からなる赤外線発信回路を有する赤外線ＬＥＤ駆動回路１６を備えている。他方、着信表示装置であるテレビは、これも通常のテレビ用回路に加えて、受光素子２１ａを有する受光ユニット２１，受光ユニットからの受信情報をデコードするデコーダー２２，デコードした出力を入力し表示のための信号処理を行うＣＰＵ２３，ＣＰＵ２３の出力から画像を発生する画像発生装置（オンスクリーンディスプレイ装置）２４，映像発生装置２４の出力を可視表示する、例えば、ＣＲＴ、ＬＣＤ等の表示装置２５、ＣＰＵの出力から音声を発生させるためのボリュームコントロール回路２６及びスピーカなどの音声出力手段２７からなっている。
ここで、テレビ側の赤外線受光ユニット等については、例えば、いわゆるリモコン用の赤外線受光機能をそのまま利用することができる。また、デコーダー回路は、通常のテレビには赤外線リモコン信号用のものが内蔵されているので、デコーダー回路を電話番号、発信者名の表示用にその機能を拡張すればよく、その他の回路、装置は既存のテレビに内蔵されているものをそのまま利用することができる。
【０００９】
以上の構成において、本着信表示システムは、電話機に着信があると、その発信元の電話番号を基に電話機側にその電話番号に対応させて発信元情報が登録（記憶）されていると、その発信元情報と共に着信がある旨のメッセージを加えて着信情報を作成し、その着信情報を自身の表示部に表示するとともに、その情報を赤外線パルスに変えて発信する。
他方、赤外線受信機能を有する例えばテレビ側ではこの着信情報を受信して復調し、その着信情報を自身の表示画面に表示し及び／又はスピーカから着信音を出力して着信があったことを知らせるようにしている。
【００１０】
図２、図３は、それぞれ本着信表示システムにおける着信表示のための処理手順を説明するためのフロー図であり、図２は着信時における着信電話機側での着信に基づき着信情報を生成しかつ発信するための処理手順を、また、図３はテレビ側で前記着信情報の受信からその表示又は出力までの信号処理手順を説明するためのフローチャートである。
先ず、図２に従って、着信時における電話機側の前記処理手順を説明する。
まず、電話機（携帯電話機又はナンバーディスプレイ機能付き電話機）に着信があると（Ｓ１０１、ＹＥＳ）、電話機は着信した発信元電話番号を取得し（Ｓ１０２）、この電話番号が既に登録されたものであれば（Ｓ１０３、ＹＥＳ）、図示しない記憶手段に登録した発信者の発信者名等の情報を取得し（Ｓ１０４）、それらの情報をＣＰＵ１２に渡す。ＣＰＵ１２は渡された発信者情報に基づき着信情報を作成し（Ｓ１０５）、該着信情報を赤外線リモコンフォーマット発生回路１４に渡し、赤外線リモコンフォーマット発生回路１４は所定のフォーマットに従った赤外線フォーマット信号を発生する（Ｓ１０６）。その信号を赤外線ＬＥＤ駆動回路１６に渡し、赤外線ＬＥＤ駆動回路を駆動し、赤外線ＬＥＤ１６ｂは赤外線パルスを発光する（Ｓ１０７）。
ステップＳ１０３において、発信者が例えば公衆電話或いはナンバー非通知の電話機からの着信であれば（Ｓ１０３，ＮＯ）、ステップＳ１０４を飛ばしてステップＳ１０５以下の処理を行う。
【００１１】
次に、テレビ２０側での着信表示のための処理手順を図３に従って説明する。テレビ２０側では受光ユニット２１の受光素子２１ａで赤外線パルスを受光し（Ｓ２０１）、デコーダー２２でデコードし（Ｓ２０２）、続いて該デコードした信号をＣＰＵ２３で処理して着信情報を発生する（Ｓ２０３）、着信情報が画像情報であれば（Ｓ２０４、ＹＥＳ）、オンスクリーンディスプレイ装置２４に渡して画像を形成し（Ｓ２０５）、テレビの表示画面上で表示する（Ｓ２０６）。ステップＳ２０４で着信情報が画像情報でなければ（Ｓ２０４，ＮＯ）、その情報をボリュームコントロール回路２６に渡して音声を発生し（Ｓ２０７）、スピーカ等２７から音声出力する（Ｓ２０８）。
なお、着信情報の表示に加え音声信号としてスピーカ等から着信音或いは着信メロディーを流すようにすれば、テレビ視聴中のユーザに電話の着信があったことをより確実に通知することができる。
【００１２】
図４は、本実施例に係る着信表示システムを模式的に描いた図であって、携帯電話機１０に着信があり、携帯電話機は上述の処理手順に従って自身の表示画面に着信情報として発信者の電話番号及び発信者名を表示するとともに、赤外線により所定のフォーマットにしたがった赤外線パルスを発信し、テレビ２０側ではこの赤外線パルスを受信して、前述の処理手順に従って、画面に携帯電話機の表示内容と同じく着信表示と発信者の電話番号及び発信者名が表示されている。
【００１３】
このように、本着信表示システムでは、電話の着信と同時にテレビ画面に着信及び発信先情報が表示され、更に必要に応じて音声でも着信を伝えることができる。
更に、着信表示に当たって、着信音或いはメロディーを予め登録された着信者によって変更し、聞いただけでだれからの電話であるか分かるようにすることもできるし、或いは、テレビの表示画面上の文字色を発信者毎に色分けすることもそれぞれ周知の手段を用い行うことができる。
【００１４】
なお、以上の説明では着信表示にテレビの画面を利用したものについて説明したが、着信表示はテレビに限ることはなく、例えばＰＣ（Ｐｅｒｓｏｎａｌ  Ｃｏｍｐｕｔｅｒ）、ＰＤＡ（Ｐｅｒｓｏｎａｌ  Ｄｉｇｉｔａｌ  Ａｓｓｉｓｔａｎｔ：携帯情報端末）等の表示画面を用いることも当然可能であり、それらが備える例えばＩｒＤＡ（Ｉｎｆｒａｒｅｄ  Ｄａｔａ  Ａｓｓｏｃｉａｔｉｏｎ）規格に基づく赤外線通信手段を利用することで、テレビと同様に赤外線により電話の着信情報を表示し或いは音声で伝えることができる。また、赤外線を空間中に放射するようにしても或いは光ファイバー等の導光性ケーブルを介して伝達するようにしてもよい。
【００１５】
【発明の効果】
テレビの視聴中或いはパソコンなどの動作中に電話の着信があったときにも、ユーザに確実に着信を知らせることができるため、大事な要件にもかかわらず電話を受け損じることがない。そのため、電話のことを気にすることなく視聴或いは作業に安心して熱中することができる。
また、発信者を事前に知ることが出来るので余裕を持って電話にでることができる。
更に、デコーダーの機能拡張以外は、テレビ等の既存の機能を活用できるので、コストを掛けずに着信表示システムを構築することができる。
【図面の簡単な説明】
【図１】本発明の１実施形態に係る着信表示システムを概略的に示した図である。
【図２】着信時における着信電話機側での赤外線信号送信手順を説明するためのフローチャートである。
【図３】着信表示装置であるテレビ側での赤外線信号受信から表示又は出力に至る手順を説明するためのフローチャートである。
【図４】本実施例に係る着信表示システムを模式的に描いた図である。
【符号の説明】１０・・・携帯電話機、１２・・・ＣＰＵ、１４・・・赤外線リモコンフォーマット発生回路、１６・・・赤外線ＬＥＤ駆動回路、２０・・・テレビ、２１・・・受光ユニット、２２・・・デコーダー、２３・・・ＣＰＵ、２４・・・オンスクリーンディスプレイ装置、２５・・・ＣＲＴ、２６・・・ボリュームコントロール回路、２７・・・スピーカ。
【図１】
2004159099.tif 000003
【図２】
2004159099.tif 000004
【図３】
2004159099.tif 000005
【図４】
2004159099.tif 000006